(57)【特許請求の範囲】
【請求項１】
送信機におけるワイヤレス通信の方法であって、
前記送信機において、複数のサブチャネル上でそれぞれ送信する複数の近接送信機の各々の送信電力を決定することと、
前記送信機から前記複数のサブチャネル上でそれぞれ送信する前記複数の近接送信機の各々までの経路損失を検出することと、
を備え、
前記複数のサブチャネルの各々についてアウテージ領域サイズを推定することと、ここにおいて、サブチャネルについて前記アウテージ領域サイズを前記推定することは、前記サブチャネル上で送信する近接送信機の決定された送信電力と、前記近接送信機までの前記検出された経路損失とに基づく、
前記送信機から信号を送信するための前記複数のサブチャネルのうちの１つを選択することと、ここにおいて、前記選択することは、前記複数のサブチャネルの各々の前記推定されたアウテージ領域サイズに基づく、
を特徴とする、方法。
【請求項２】
前記送信電力を前記決定することは、
インバンドエミッション（ＩＢＥ）電力、または
前記サブチャネル上の意図された送信信号の送信電力
のうちの少なくとも１つを決定することを備える、請求項１に記載の方法。
【請求項３】
前記複数のサブチャネル上でそれぞれ送信する前記複数の近接送信機の各々についての前記ＩＢＥ電力は、近接送信機のＩＢＥのモデル、およびそれぞれのサブチャネル上の前記意図された送信信号の前記近接送信機の前記送信電力の決定に基づいて決定される、請求項２に記載の方法。
【請求項４】
前記複数のサブチャネルのうちの前記１つは、最も小さい推定されたアウテージ領域サイズを有する前記サブチャネルに基づいて選択される、請求項１に記載の方法。
【請求項５】
アウテージ領域は、前記送信機からの前記信号の意図された受信機がしきい値よりも小さい信号対干渉プラス雑音比（ＳＩＮＲ）を経験する地理的エリアを備える、請求項１に記載の方法。
【請求項６】
前記サブチャネル上で送信する前記近接送信機の前記決定された送信電力は、前記サブチャネルについての前記アウテージ領域サイズを示す、請求項１に記載の方法。
【請求項７】
前記サブチャネル上で送信する前記近接送信機までの前記検出された経路損失は、前記サブチャネルについての前記アウテージ領域サイズを示す、請求項１に記載の方法。
【請求項８】
送信機であって、
前記送信機において、複数のサブチャネル上でそれぞれ送信する複数の近接送信機の各々の送信電力を決定するための手段と、
前記送信機から前記複数のサブチャネル上でそれぞれ送信する前記複数の近接送信機の各々までの経路損失を検出するための手段と、
を備え、
前記複数のサブチャネルの各々についてアウテージ領域サイズを推定することと、ここにおいて、サブチャネルについて前記アウテージ領域サイズを前記推定することは、前記サブチャネル上で送信する近接送信機の決定された送信電力と、前記近接送信機までの前記検出された経路損失とに基づく、
前記送信機から信号を送信するための前記複数のサブチャネルのうちの１つを選択することと、ここにおいて、前記選択することは、前記複数のサブチャネルの各々の前記推定されたアウテージ領域サイズに基づく、
を特徴とする、送信機。
【請求項９】
プロセッサに請求項１に記載の方法を実行させるためのプログラムを記録した、コンピュータ読み取り可能な記録媒体。
【発明の詳細な説明】
【技術分野】
【０００１】
関連出願の相互参照
[0001]本出願は、その全体が参照により本明細書に明確に組み込まれる、２０１３年９月２６日に出願された「IBE AWARE CHANNEL SELECTION」と題する米国仮出願第６１／８８２，９７５号、および２０１４年７月１５日に出願された「IBE AWARE CHANNEL SELECTION」と題する米国非仮出願第１４／３３１，７８８号の利益を主張する。
【０００２】
[0002]本開示は、一般に通信システムに関し、より詳細には、サブチャネル上で送信する送信機のインバンドエミッション（ＩＢＥ：in-band emission）電力を認識しながら、信号を送信するための、帯域幅中のいくつかのサブチャネルのうちの１つを選択することに関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標）：Long Term Evolution）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータプログラム製品、および装置が提供される。本装置は、帯域幅中の複数のサブチャネル上でそれぞれ送信する複数の近接送信機の各々の送信電力を決定し、複数のサブチャネル上でそれぞれ送信する複数の近接送信機の各々までの経路損失を検出し、複数のサブチャネルの各々上の決定された送信電力と、複数のサブチャネル上でそれぞれ送信する複数の近接送信機の各々までの検出された経路損失とに基づいて、信号を送信するための複数のサブチャネルのうちの１つを選択する。
【図面の簡単な説明】
【０００６】
【図１】[0006]ネットワークアーキテクチャの一例を示す図。
【図２】[0007]アクセスネットワークの一例を示す図。
【図３】[0008]ＬＴＥにおけるＤＬフレーム構造の一例を示す図。
【図４】[0009]ＬＴＥにおけるＵＬフレーム構造の一例を示す図。
【図５】[0010]ユーザプレーンおよび制御プレーンのための無線プロトコルアーキテクチャの一例を示す図。
【図６】[0011]アクセスネットワーク中の発展型ノードＢおよびユーザ機器の一例を示す図。
【図７】[0012]デバイス間通信システムの図。
【図８】[0013]インバンドエミッションモデルを示す図。
【図９】[0014]送信機によってもたらされるアウテージ（outage）エリアを示す図。
【図１０】[0015]ワイヤレス通信の方法のフローチャート。
【図１１】[0016]例示的な装置における異なるモジュール／手段／構成要素間のデータフローを示す概念データフロー図。
【図１２】[0017]処理システムを採用する装置のためのハードウェア実装形態の一例を示す図。
【発明を実施するための形態】
【０００７】
[0018]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００８】
[0019]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるかソフトウェアとして実装されるかは、特定の適用例および全体的なシステムに課された設計制約に依存する。
【０００９】
[0020]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１０】
[0021]したがって、１つまたは複数の例示的な実施形態では、説明される機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく、例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザーで光学的に再生する。上記の組合せもコンピュータ可読媒体の範囲内に含めるべきである。
【００１１】
[0022]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１２】
[0023]Ｅ−ＵＴＲＡＮは発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６はまた、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１３】
[0024]ｅＮＢ１０６はＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、マルチメディアブロードキャストマルチキャストサービス（ＭＢＭＳ：Multimedia Broadcast Multicast Service）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１４】
[0025]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは、１つまたは複数の（たとえば、３つの）セル（セクタとも呼ばれる）をサポートし得る。「セル」という用語は、ｅＮＢの最小カバレージエリアを指すことができ、および／またはｅＮＢサブシステムサービングは特定のカバレージエリアである。さらに、「ｅＮＢ」、「基地局」、および「セル」という用語は、本明細書では互換的に使用され得る。
【００１５】
[0026]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ：time division duplex）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communication）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１６】
[0027]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００１７】
[0028]空間多重化は、概して、チャネル状態が良いときに使用される。チャネル状態があまり好ましくないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１８】
[0029]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散（spread-spectrum）技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００１９】
[0030]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２０】
[0031]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２１】
[0032]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２２】
[0033]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２３】
[0034]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２４】
[0035]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２５】
[0036]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００２６】
[0037]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２７】
[0038]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいてヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００２８】
[0039]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、コーディングされた変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコードされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられ得る。各送信機６１８ＴＸは、送信のためにそれぞれの空間ストリームでＲＦキャリアを変調し得る。
【００２９】
[0040]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３０】
[0041]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３１】
[0042]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３２】
[0043]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３３】
[0044]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３４】
[0045]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３５】
[0046]図７はデバイス間通信システム７００の図である。デバイス間（Ｄ２Ｄ）通信システム７００は、複数のワイヤレスデバイス７０４、７０６、７０８、７１０を含む。デバイス間通信システム７００は、たとえば、ワイヤレスワイドエリアネットワーク（ＷＷＡＮ：wireless wide area network）などのセルラー通信システムと重なり得る。ワイヤレスデバイス７０４、７０６、７０８、７１０の一部は、ＤＬ／ＵＬ  ＷＷＡＮスペクトルを使用してデバイス間通信において互いに通信し、一部は基地局７０２と通信し、一部は両方を行い得る。たとえば、図７に示されているように、ワイヤレスデバイス７０８、７１０はデバイス間通信中であり、ワイヤレスデバイス７０４、７０６はデバイス間通信中である。ワイヤレスデバイス７０４、７０６は基地局７０２とも通信している。
【００３６】
[0047]以下で説明する例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１規格に基づくＷｉ−Ｆｉに基づくワイヤレスデバイス間通信システムなど、様々なワイヤレスデバイス間通信システムのいずれにも適用可能である。説明を簡略化するために、例示的な方法および装置についてＬＴＥのコンテキスト内で説明する。ただし、例示的な方法および装置は、様々な他のワイヤレスデバイス間通信システムにより一般的に適用可能であることを当業者は理解されよう。
【００３７】
[0048]本開示の一態様は、公共安全上の懸念によって動機づけられたブロードキャストＤ２Ｄ通信に関する。ブロードキャスト通信のためのベースライン設計は、帯域幅を狭帯域サブチャネルに分割するものであり得、ここにおいて、いくつかの近接送信機（neighboring transmitters）の各送信機は、信号を送信するために１つのサブチャネルを選択し得る。サブチャネル選択は、受信されたエネルギー測定値に基づき得る。
【００３８】
[0049]インバンドエミッションによってシステム性能に対する制限が課され得る。インバンドエミッション（ＩＢＥ）は、あるサブチャネル上で送信するある送信機によって引き起こされ、別のサブチャネル上で受信機に送信する別の送信機に課される、干渉である。本開示では、帯域幅のサブチャネル上のＩＢＥを認識しながらのサブチャネル選択を可能にすることによってシステム性能を改善するための方法および装置が提供される。
【００３９】
[0050]図８は、インバンドエミッションモデルを示す図８００である。図９は、送信機によってもたらされるアウテージエリア（たとえば、ゾーン、領域など）を示す図９００である。サブチャネル選択アルゴリズムを決定するために２つの観測が利用され得る。第１に、すべてのサブチャネルが同じ量の干渉を受けるとは限らない。図８を参照すると、インバンドエミッションモデルのプロットは、近接サブチャネルならびに他のサブチャネル（たとえば、Ｉ／Ｑまたは画像サブチャネル）がより多くの干渉を経験することを示す。
【００４０】
[0051]第２に、より遠く離れて位置する送信機がより多くの干渉を引き起こす。たとえば、指数４および−３０ｄＢｃのＩＢＥを用いた均一な経路損失をもつ単純なモデルを考える。図９を参照すると、送信機ＴＸ１  ９０２は、近接送信機ＴＸ２  ９０４から距離ｄである。送信機ＴＸ１  ９０２はまた、別の近接送信機ＴＸ３  ９０６からｄよりも大きい距離にある。送信機ＴＸ２  ９０４のアウテージゾーン９１４および送信機ＴＸ３  ９０６のアウテージゾーン９１６も示される。アウテージゾーンは、ホーム送信機（たとえば、ＴＸ１  ９０２）からの信号の意図された受信機がしきい値（たとえば、０ｄＢ）よりも小さい信号対干渉プラス雑音比（ＳＩＮＲ：signal-to-interference-plus-noise ratio）を経験する、近接送信機（たとえば、ＴＸ２  ９０４またはＴＸ３  ９０６）に関係する地理的エリア（領域）として定義され得る。
【００４１】
[0052]図９において、送信機ＴＸ１  ９０２から距離ｄにある送信機ＴＸ２  ９０４は、約ｄ／１０の半径を有する円形アウテージゾーン９１４をもたらし得る。送信機ＴＸ２  ９０４に１０倍近接した、送信機ＴＸ１  ９０２からの信号の意図された受信機は、送信機ＴＸ２  ９０４のＩＢＥによる送信機ＴＸ２  ９０４のアウテージゾーン９１４中にあることになる。したがって、送信機ＴＸ１  ９０２からの信号の意図された受信機は、送信機ＴＸ２  ９０４のアウテージゾーン９１４中にあるとき、しきい値（たとえば、０ｄＢ）よりも小さいＳＩＮＲを経験することになる。送信機がもたらすアウテージエリアによって送信機が特徴づけられる場合、送信機ＴＸ１  ９０２からより遠い送信機（たとえば、ｄよりも大きい距離にある送信機ＴＸ３  ９０６）は、送信機により近い送信機（たとえば、送信機ＴＸ２  ９０４）よりも大きいアウテージゾーンをもたらすことになる。
【００４２】
[0053]一態様では、サブチャネル選択のための方法が提供される。一例によれば、いくつかの近接送信機の各送信機は、それの周囲をモニターし、所与の帯域幅のどのサブチャネルが近接送信機によって占有されるかを決定し得る。各送信機はまた、各近接送信機の相対強度をモニターし得る。
【００４３】
[0054]各サブチャネルについて、送信機は、送信機が、意図された受信機に信号を送信するためのそれぞれのサブチャネルを使用しようとする場合に、それぞれのサブチャネルに関係するアウテージゾーン（アウテージ領域）を推定し得る。推定は、モデル（たとえば、図８に示されたパターン）に基づくＩＢＥの推定、および／またはそれぞれのサブチャネル上で送信する近接送信機までの経路損失推定に基づくアウテージゾーンの推定を含み得る。推定中に、１）より大きいＩＢＥをもつサブチャネルが、より大きいアウテージゾーンを暗示し、２）より弱い送信機が、より大きいアウテージゾーンを暗示するという特性が適用され得る。送信機は次いで、最も小さい推定されたアウテージゾーンをもつサブチャネルを選択し得る。
【００４４】
[0055]図１０は、ワイヤレス通信の方法のフローチャート１０００である。この方法は、第１の送信機（たとえば、ＵＥまたは図７のワイヤレスデバイス７０４、７０６、７０８、または７１０のうちのいずれか１つ）によって実行され得る。
【００４５】
[0056]ステップ１００２において、第１の送信機は、帯域幅中の複数のサブチャネル上でそれぞれ送信する複数の近接送信機の各々の送信電力を決定する。送信電力決定は、それぞれのサブチャネル上で送信する近接送信機のインバンドエミッション（ＩＢＥ）電力を決定すること、および／または意図された送信信号を送信する近接送信機の送信電力を決定することを含み得る。一態様では、複数のサブチャネル上でそれぞれ送信する複数の近接送信機の各々についてのＩＢＥ電力は、ＩＢＥのモデルと、それぞれのサブチャネル上の意図された送信信号の送信電力の決定とに基づいて決定される。
【００４６】
[0057]ステップ１００４において、第１の送信機は、複数のサブチャネル上でそれぞれ送信する複数の近接送信機の各々までの経路損失を検出する。第１の送信機は、次いで、複数のサブチャネルの各々上の決定された送信電力と、複数のサブチャネル上でそれぞれ送信する複数の近接送信機の各々までの検出された経路損失とに基づいて、信号を送信するための複数のサブチャネルのうちの１つを選択し得る。
【００４７】
[0058]たとえば、ステップ１００６において、複数のサブチャネルの各々について、第１の送信機は、サブチャネル上で送信する近接送信機の決定された送信電力と、近接送信機までの検出された経路損失とに基づいて、サブチャネルについてのアウテージ領域のサイズを推定する。アウテージ領域は、第１の送信機からの信号の意図された受信機がしきい値（たとえば、０ｄＢ）よりも小さい信号対干渉プラス雑音比（ＳＩＮＲ）を経験する地理的エリアを含み得る。一態様では、サブチャネル上で送信する近接送信機の決定された送信電力は、サブチャネルについてのアウテージ領域のサイズを示す。さらに、サブチャネル上で送信する近接送信機までの検出された経路損失も、サブチャネルについてのアウテージ領域のサイズを示す。
【００４８】
[0059]ステップ１００８において、第１の送信機は、複数のサブチャネルの各々についての推定されたアウテージ領域サイズに基づいて複数のサブチャネルのうちの１つを選択する。一態様では、第１の送信機は、最も小さい推定されたアウテージ領域サイズを有するサブチャネルに基づいて複数のサブチャネルのうちの１つを選択する。
【００４９】
[0060]図１１は、例示的な装置１１０２の異なるモジュール／手段／構成要素間のデータフローを示す概念データフロー図１１００である。本装置は、第１の送信機（たとえば、ＵＥまたは図７のワイヤレスデバイス７０４、７０６、７０８、または７１０のうちのいずれか１つ）であり得る。本装置は、受信モジュール１１０４と、送信電力決定モジュール１１０６と、経路損失検出モジュール１１０８と、アウテージ領域推定モジュール１１１０と、サブチャネル処理モジュール１１１２と、送信モジュール１１１４とを含む。
【００５０】
[0061]送信電力決定モジュール１１０６は、帯域幅中の複数のサブチャネル上でそれぞれ送信する複数の近接送信機（たとえば、１つまたは複数の近接送信機１１５０）の各々の送信電力を（受信モジュール１１０４および送信モジュール１１１４を介して）決定する。送信電力決定は、それぞれのサブチャネル上で送信する近接送信機のインバンドエミッション（ＩＢＥ）電力を決定すること、および／または意図された送信信号を送信する近接送信機の送信電力を決定することを含み得る。一態様では、複数のサブチャネル上でそれぞれ送信する複数の近接送信機の各々についてのＩＢＥ電力が、ＩＢＥのモデルと、それぞれのサブチャネル上の意図された送信信号の送信電力の決定とに基づいて決定される。
【００５１】
[0062]経路損失検出モジュール１１０８は、複数のサブチャネル上でそれぞれ送信する複数の近接送信機の各々までの経路損失を（受信モジュール１１０４および送信モジュール１１１４を介して）検出する。装置１１０２は、複数のサブチャネルの各々上の決定された送信電力と、複数のサブチャネル上でそれぞれ送信する複数の近接送信機の各々までの検出された経路損失とに基づいて、（送信モジュール１１１４を介して）信号を送信するための複数のサブチャネルのうちの１つを選択し得る。
【００５２】
[0063]たとえば、複数のサブチャネルの各々について、アウテージ領域推定モジュール１１１０は、サブチャネル上で送信する近接送信機の決定された送信電力と、近接送信機までの検出された経路損失とに基づいて、サブチャネルについてのアウテージ領域のサイズを推定する。アウテージ領域は、第１の送信機からの信号の意図された受信機が、しきい値（たとえば、０ｄＢ）よりも小さい信号対干渉プラス雑音比（ＳＩＮＲ）を経験する地理的エリアを含み得る。一態様では、サブチャネル上で送信する近接送信機の決定された送信電力は、サブチャネルについてのアウテージ領域のサイズを示す。さらに、サブチャネル上で送信する近接送信機までの検出された経路損失も、サブチャネルについてのアウテージ領域のサイズを示す。
【００５３】
[0064]サブチャネル処理モジュール１１１２は、複数のサブチャネルの各々についての推定されたアウテージ領域サイズに基づいて複数のサブチャネルのうちの１つを選択する。一態様では、サブチャネル処理モジュール１１１２は、最も小さい推定されたアウテージ領域サイズを有するサブチャネルに基づいて複数のサブチャネルのうちの１つを選択する。
【００５４】
[0065]本装置は、図１０の上述のフローチャート中のアルゴリズムのステップの各々を実行する追加のモジュールを含み得る。したがって、図１０の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００５５】
[0066]図１２は、処理システム１２１４を採用する装置１１０２’のためのハードウェア実装形態の一例を示す図１２００である。処理システム１２１４は、バス１２２４によって概略的に表されるバスアーキテクチャを用いて実装され得る。バス１２２４は、処理システム１２１４の特定の適用例および全体的な設計制約に応じて、任意の数の相互接続バスおよびブリッジを含み得る。バス１２２４は、プロセッサ１２０４によって表される１つまたは複数のプロセッサおよび／またはハードウェアモジュールと、モジュール１１０４、１１０６、１１０８、１１１０、１１１２、１１１４と、コンピュータ可読媒体／メモリ１２０６とを含む様々な回路を互いにリンクする。バス１２２４はまた、タイミングソース、周辺機器、電圧調整器、および電力管理回路など、様々な他の回路をリンクし得るが、これらの回路は当技術分野においてよく知られており、したがって、これ以上説明しない。
【００５６】
[0067]処理システム１２１４はトランシーバ１２１０に結合され得る。トランシーバ１２１０は１つまたは複数のアンテナ１２２０に結合される。トランシーバ１２１０は、伝送媒体を介して様々な他の装置と通信するための手段を与える。トランシーバ１２１０は、１つまたは複数のアンテナ１２２０から信号を受信し、受信された信号から情報を抽出し、抽出された情報を処理システム１２１４、特に受信モジュール１１０４に与える。さらに、トランシーバ１２１０は、処理システム１２１４、特に送信モジュール１１１４から情報を受信し、受信された情報に基づいて、１つまたは複数のアンテナ１２２０に適用されるべき信号を生成する。処理システム１２１４は、コンピュータ可読媒体／メモリ１２０６に結合されたプロセッサ１２０４を含む。プロセッサ１２０４は、コンピュータ可読媒体／メモリ１２０６に記憶されたソフトウェアの実行を含む一般的な処理を担当する。ソフトウェアは、プロセッサ１２０４によって実行されたとき、処理システム１２１４に、特定の装置のための上記で説明した様々な機能を実行させる。コンピュータ可読媒体／メモリ１２０６はまた、ソフトウェアを実行するときにプロセッサ１２０４によって操作されるデータを記憶するために使用され得る。処理システムは、モジュール１１０４、１１０６、１１０８、１１１０、１１１２、および１１１４のうちの少なくとも１つをさらに含む。それらのモジュールは、プロセッサ１２０４中で動作するか、コンピュータ可読媒体／メモリ１２０６中に常駐する／記憶されたソフトウェアモジュールであるか、プロセッサ１２０４に結合された１つまたは複数のハードウェアモジュールであるか、またはそれらの何らかの組合せであり得る。処理システム１２１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【００５７】
[0068]一構成では、ワイヤレス通信のための装置１１０２／１１０２’は、帯域幅中の複数のサブチャネル上でそれぞれ送信する複数の近接送信機の各々の送信電力を決定するための手段と、複数のサブチャネル上でそれぞれ送信する複数の近接送信機の各々までの経路損失を検出するための手段と、複数のサブチャネルの各々上の決定された送信電力と、複数のサブチャネル上でそれぞれ送信する複数の近接送信機の各々までの検出された経路損失とに基づいて、信号を送信するための複数のサブチャネルのうちの１つを選択するための手段と、サブチャネル上で送信する近接送信機の決定された送信電力と、近接送信機までの検出された経路損失とに基づいて、サブチャネルについてのアウテージ領域のサイズを推定するための手段とを含み、ここにおいて、選択するための手段は、複数のサブチャネルの各々についての推定されたアウテージ領域サイズに基づいて複数のサブチャネルのうちの１つを選択するように構成される。
【００５８】
[0069]上述の手段は、上述の手段によって具陳された機能を実行するように構成された、装置１１０２、および／または装置１１０２’の処理システム１２１４の上述のモジュールのうちの１つまたは複数であり得る。上記で説明したように、処理システム１２１４は、ＴＸプロセッサ６６８と、ＲＸプロセッサ６５６と、コントローラ／プロセッサ６５９とを含み得る。したがって、一構成では、上述の手段は、上述の手段によって具陳される機能を実行するように構成された、ＴＸプロセッサ６６８と、ＲＸプロセッサ６５６と、コントローラ／プロセッサ６５９とであり得る。
【００５９】
[0070]開示したプロセスにおけるステップの特定の順序または階層は、例示的な手法の一例であることを理解されたい。設計上の選好に基づいて、プロセスにおけるステップの特定の順序または階層は並べ替えられ得ることを理解されたい。さらに、いくつかのステップは組み合わされるかまたは省略され得る。添付の方法クレームは、様々なステップの要素を例示的な順序で提示したものであり、提示された特定の順序または階層に限定されるものではない。
【００６０】
[0071]以上の説明は、当業者が本明細書で説明された様々な態様を実行できるようにするために提供される。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。別段に明記されていない限り、「いくつかの」という語は「１つまたは複数の」を表す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、Ａのうちの複数個、Ｂのうちの複数個、またはＣのうちの複数個を含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明された様々な態様の要素のすべての構造的および機能的均等物は、参照により本明細書に明確に組み込まれ、特許請求の範囲に包含されるものである。さらに、本明細書で開示されたいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に、本願出願の当初の特許請求の範囲に記載された発明を付記する。
［Ｃ１］
第１の送信機のワイヤレス通信の方法であって、
帯域幅中の複数のサブチャネル上でそれぞれ送信する複数の近接送信機の各々の送信電力を決定することと、
前記複数のサブチャネル上でそれぞれ送信する前記複数の近接送信機の各々までの経路損失を検出することと、
前記複数のサブチャネルの各々上の前記決定された送信電力と、前記複数のサブチャネル上でそれぞれ送信する前記複数の近接送信機の各々までの前記検出された経路損失とに基づいて、信号を送信するための前記複数のサブチャネルのうちの１つを選択することと
を備える方法。
［Ｃ２］
前記送信電力を前記決定することは、
インバンドエミッション（ＩＢＥ）電力、または
意図された送信信号の送信電力
のうちの少なくとも１つを決定することを備える、Ｃ１に記載の方法。
［Ｃ３］
前記複数のサブチャネル上でそれぞれ送信する前記複数の近接送信機の各々についての前記ＩＢＥ電力は、ＩＢＥのモデルと、それぞれのサブチャネル上の前記意図された送信信号の前記送信電力の決定とに基づいて決定される、Ｃ２に記載の方法。
［Ｃ４］
前記複数のサブチャネルの各々について、サブチャネル上で送信する近接送信機の決定された送信電力と、前記近接送信機までの前記検出された経路損失とに基づいて、前記サブチャネルについてのアウテージ領域のサイズを推定することをさらに備え、
ここにおいて、前記複数のサブチャネルのうちの前記１つは、前記複数のサブチャネルの各々についての前記推定されたアウテージ領域サイズに基づいて選択される、Ｃ１に記載の方法。
［Ｃ５］
前記複数のサブチャネルのうちの前記１つは、最も小さい推定されたアウテージ領域サイズを有する前記サブチャネルに基づいて選択される、Ｃ４に記載の方法。
［Ｃ６］
前記アウテージ領域は、前記第１の送信機からの前記信号の意図された受信機がしきい値よりも小さい信号対干渉プラス雑音比（ＳＩＮＲ）を経験する地理的エリアを備える、Ｃ４に記載の方法。
［Ｃ７］
前記サブチャネル上で送信する前記近接送信機の前記決定された送信電力は、前記サブチャネルについての前記アウテージ領域の前記サイズを示す、Ｃ４に記載の方法。
［Ｃ８］
前記サブチャネル上で送信する前記近接送信機までの前記検出された経路損失は、前記サブチャネルについての前記アウテージ領域の前記サイズを示す、Ｃ４に記載の方法。
［Ｃ９］
ワイヤレス通信のための第１の送信機であって、
帯域幅中の複数のサブチャネル上でそれぞれ送信する複数の近接送信機の各々の送信電力を決定するための手段と、
前記複数のサブチャネル上でそれぞれ送信する前記複数の近接送信機の各々までの経路損失を検出するための手段と、
前記複数のサブチャネルの各々上の前記決定された送信電力と、前記複数のサブチャネル上でそれぞれ送信する前記複数の近接送信機の各々までの前記検出された経路損失とに基づいて、信号を送信するための前記複数のサブチャネルのうちの１つを選択するための手段と
を備える第１の送信機。
［Ｃ１０］
前記送信電力を決定するための前記手段は、
インバンドエミッション（ＩＢＥ）電力、または
意図された送信信号の送信電力
のうちの少なくとも１つを決定するように構成される、Ｃ９に記載の第１の送信機。
［Ｃ１１］
前記複数のサブチャネル上でそれぞれ送信する前記複数の近接送信機の各々についての前記ＩＢＥ電力は、ＩＢＥのモデルと、それぞれのサブチャネル上の前記意図された送信信号の前記送信電力の決定とに基づいて決定される、Ｃ１０に記載の第１の送信機。
［Ｃ１２］
前記複数のサブチャネルの各々について、サブチャネル上で送信する近接送信機の決定された送信電力と、前記近接送信機までの前記検出された経路損失とに基づいて、前記サブチャネルについてのアウテージ領域のサイズを推定するための手段をさらに備え、
ここにおいて、選択するための前記手段は、前記複数のサブチャネルの各々についての前記推定されたアウテージ領域サイズに基づいて前記複数のサブチャネルのうちの前記１つを選択するように構成される、Ｃ９に記載の第１の送信機。
［Ｃ１３］
選択するための前記手段は、最も小さい推定されたアウテージ領域サイズを有する前記サブチャネルに基づいて前記複数のサブチャネルのうちの前記１つを選択するように構成される、Ｃ１２に記載の第１の送信機。
［Ｃ１４］
前記アウテージ領域は、前記第１の送信機からの前記信号の意図された受信機がしきい値よりも小さい信号対干渉プラス雑音比（ＳＩＮＲ）を経験する地理的エリアを備える、Ｃ１２に記載の第１の送信機。
［Ｃ１５］
前記サブチャネル上で送信する前記近接送信機の前記決定された送信電力は、前記サブチャネルについての前記アウテージ領域の前記サイズを示す、Ｃ１２に記載の第１の送信機。
［Ｃ１６］
前記サブチャネル上で送信する前記近接送信機までの前記検出された経路損失は、前記サブチャネルについての前記アウテージ領域の前記サイズを示す、Ｃ１２に記載の第１の送信機。
［Ｃ１７］
ワイヤレス通信のための第１の送信機であって、
メモリと、
前記メモリに結合され、
帯域幅中の複数のサブチャネル上でそれぞれ送信する複数の近接送信機の各々の送信電力を決定することと、
前記複数のサブチャネル上でそれぞれ送信する前記複数の近接送信機の各々までの経路損失を検出することと、
前記複数のサブチャネルの各々上の前記決定された送信電力と、前記複数のサブチャネル上でそれぞれ送信する前記複数の近接送信機の各々までの前記検出された経路損失とに基づいて、信号を送信するための前記複数のサブチャネルのうちの１つを選択することと
を行うように構成された少なくとも１つのプロセッサと、
を備える第１の送信機。
［Ｃ１８］
前記送信電力を決定するように構成された前記少なくとも１つのプロセッサは、
インバンドエミッション（ＩＢＥ）電力、または
意図された送信信号の送信電力
のうちの少なくとも１つを決定するように構成され、
ここにおいて、前記複数のサブチャネル上でそれぞれ送信する前記複数の近接送信機の各々についての前記ＩＢＥ電力は、ＩＢＥのモデルと、それぞれのサブチャネル上の前記意図された送信信号の前記送信電力の決定とに基づいて決定される、Ｃ１７に記載の第１の送信機。
［Ｃ１９］
前記少なくとも１つのプロセッサは、
前記複数のサブチャネルの各々について、サブチャネル上で送信する近接送信機の決定された送信電力と、前記近接送信機までの前記検出された経路損失とに基づいて、前記サブチャネルについてのアウテージ領域のサイズを推定するようにさらに構成され、
ここにおいて、前記少なくとも１つのプロセッサは、前記複数のサブチャネルの各々についての前記推定されたアウテージ領域サイズに基づいて前記複数のサブチャネルのうちの前記１つを選択するように構成される、Ｃ１７に記載の第１の送信機。
［Ｃ２０］
前記少なくとも１つのプロセッサは、最も小さい推定されたアウテージ領域サイズを有する前記サブチャネルに基づいて前記複数のサブチャネルのうちの前記１つを選択するように構成される、Ｃ１９に記載の第１の送信機。
［Ｃ２１］
前記アウテージ領域は、前記第１の送信機からの前記信号の意図された受信機がしきい値よりも小さい信号対干渉プラス雑音比（ＳＩＮＲ）を経験する地理的エリアを備える、Ｃ１９に記載の第１の送信機。
［Ｃ２２］
前記サブチャネル上で送信する前記近接送信機の前記決定された送信電力は、前記サブチャネルについての前記アウテージ領域の前記サイズを示す、Ｃ１９に記載の第１の送信機。
［Ｃ２３］
前記サブチャネル上で送信する前記近接送信機までの前記検出された経路損失は、前記サブチャネルについての前記アウテージ領域の前記サイズを示す、Ｃ１９に記載の第１の送信機。
［Ｃ２４］
コンピュータ可読媒体に記憶されたコンピュータプログラム製品であって、少なくとも１つのプロセッサ上で実行されたとき、前記少なくとも１つのプロセッサに、
帯域幅中の複数のサブチャネル上でそれぞれ送信する複数の近接送信機の各々の送信電力を決定することと、
前記複数のサブチャネル上でそれぞれ送信する前記複数の近接送信機の各々までの経路損失を検出することと、
前記複数のサブチャネルの各々上の前記決定された送信電力と、前記複数のサブチャネル上でそれぞれ送信する前記複数の近接送信機の各々までの前記検出された経路損失とに基づいて、信号を送信するための前記複数のサブチャネルのうちの１つを選択することと
を行わせるコードを備えるコンピュータプログラム製品。
［Ｃ２５］
前記少なくとも１つのプロセッサに前記送信電力を決定させる前記コードは、
インバンドエミッション（ＩＢＥ）電力、または
意図された送信信号の送信電力
のうちの少なくとも１つを決定するように構成され、
ここにおいて、前記複数のサブチャネル上でそれぞれ送信する前記複数の近接送信機の各々についての前記ＩＢＥ電力は、ＩＢＥのモデルと、それぞれのサブチャネル上の前記意図された送信信号の前記送信電力の決定とに基づいて決定される、Ｃ２４に記載のコンピュータプログラム製品。
［Ｃ２６］
前記複数のサブチャネルの各々について、前記少なくとも１つのプロセッサに、サブチャネル上で送信する近接送信機の決定された送信電力と、前記近接送信機までの前記検出された経路損失とに基づいて、前記サブチャネルについてのアウテージ領域のサイズを推定させるコードをさらに備え、
ここにおいて、前記少なくとも１つのプロセッサに選択させる前記コードは、前記複数のサブチャネルの各々についての前記推定されたアウテージ領域サイズに基づいて前記複数のサブチャネルのうちの前記１つを選択するように構成される、Ｃ２４に記載のコンピュータプログラム製品。
［Ｃ２７］
前記少なくともプロセッサに選択させる前記コードは、最も小さい推定されたアウテージ領域サイズを有する前記サブチャネルに基づいて前記複数のサブチャネルのうちの前記１つを選択するように構成される、Ｃ２６に記載のコンピュータプログラム製品。
［Ｃ２８］
前記アウテージ領域は、前記第１の送信機からの前記信号の意図された受信機がしきい値よりも小さい信号対干渉プラス雑音比（ＳＩＮＲ）を経験する地理的エリアを備える、Ｃ２６に記載のコンピュータプログラム製品。
［Ｃ２９］
前記サブチャネル上で送信する前記近接送信機の前記決定された送信電力は、前記サブチャネルについての前記アウテージ領域の前記サイズを示す、Ｃ２６に記載のコンピュータプログラム製品。
［Ｃ３０］
前記サブチャネル上で送信する前記近接送信機までの前記検出された経路損失は、前記サブチャネルについての前記アウテージ領域の前記サイズを示す、Ｃ２６に記載のコンピュータプログラム製品。
【図１】
0006509825.tif 000002
【図２】
0006509825.tif 000003
【図３】
0006509825.tif 000004
【図４】
0006509825.tif 000005
【図５】
0006509825.tif 000006
【図６】
0006509825.tif 000007
【図７】
0006509825.tif 000008
【図８】
0006509825.tif 000009
【図９】
0006509825.tif 000010
【図１０】
0006509825.tif 000011
【図１１】
0006509825.tif 000012
【図１２】
0006509825.tif 000013